(57)【要約】      （修正有）【課題】簡易な構成でありながら、従来製品と同様のコストや寸法、或いは重量を有し、打ち込み作業が容易に出来、然も耐久性のある軟弱性地盤に於けるシート状物等用の固定具を提供する。【解決手段】本体部１、本体部の一方の端部は尖頭形状部３を有しており、本体部の他方の端部は、先端部Ｐ２から所定の長さＳだけ、本体部の中央部方向に移動した部位Ｅ迄の部分Ｆが、本体部に対して直交する方向に折り曲げられており、且つ、本体部の両端部間の表面部分Ｑには、少なくとも一つの引き抜き抵抗部１０が設けられ、更に、引き抜き抵抗部の内部空間部１１は、開放状態に維持されている。【選択図】図１
0003192843.tif 000002
【実用新案登録請求の範囲】
【請求項１】
直線状の棒状体からなる本体部、当該本体部の一方の端部は、当該端部の先端部に指向して、漸次その太さが軽減されていく尖頭形状部を有しており、当該本体部の他方の端部においては、当該端部の先端部から所定の長さだけ、当該本体部の中央部方向に移動した部位迄の部分が、当該本体部の中心軸線に対してほぼ直交する方向に所定の方向に向けて折り曲げられており、且つ、当該本体部の当該両端部間の適宜の表面部分には、少なくとも一つの、当該本体部の中心軸線に対してほぼ直交する方向で、且つ当該他方の端部が屈曲せしめられている方向と反対方向に、外方に突出した第１の抵抗部材と、その一方の端部が、当該本体部の外表面に接合され、且つ当該接合面から当該中心線に対して所定の角度を持って、且つ、当該他方の端部が屈曲せしめられている方向と反対方向に斜め状に外方に突出し、その他方の端部が、当該第１の抵抗部材の自由端部と接合せしめられている第２の抵抗部材とで構成されている少なくとも一つの引き抜き抵抗部が設けられており、更に、当該引き抜き抵抗部の内部空間部は、開放状態に維持されている特徴とする軟弱地盤で使用されるシート状物等の固定具。
【請求項２】
少なくとも、当該本体部は、金属材料或いは合成樹脂材料、若しくはそれらの複合材料で構成されている充実状若しくは中空状構造を有するものである事特徴とする請求項１に記載の軟弱地盤で使用されるシート状物等の固定具。
【請求項３】
当該本体部の当該中心軸線と直交する方向で見た断面形状は、円形、楕円形、半円形、三角形及び四角形を含む、多角形形状を有するものである事を特徴とする請求項１又は２に記載の軟弱地盤で使用されるシート状物等の固定具。
【請求項４】
当該引き抜き抵抗部に於ける当該第１と第２の抵抗部は、金属材料或いは合成樹脂材料、若しくはそれらの複合材料で構成されている板状部材で構成されている事を特徴とする請求項１乃至３の何れかに記載の軟弱地盤で使用されるシート状物等の固定具。
【請求項５】
複数個の当該引き抜き抵抗部が、当該本体部の長手方向線に沿って、所定の間隔を介して、同一方向に突出する状態で配置されている事を特徴とする請求項１乃至４の何れかに記載の軟弱地盤で使用されるシート状物等の固定具。
【請求項６】
当該複数個の引き抜き抵抗部の大きさ或いは形状若しくは当該本体部表面から外方への突出長さの少なくとも一部が他方の引き抜き抵抗部のものと相違している事を特徴とする請求項１乃至５の何れかに記載の軟弱地盤で使用されるシート状物等の固定具。
【考案の詳細な説明】
【技術分野】
【０００１】
本考案は、雑草の抑制或いは地温の調整等の目的で使用される防草マットや土砂流出防止マット等を含むシート状物を地面に固定するために、地面に打ち込んで使用する固定具に関するものであり、特に詳しくは、水分の含有量の多い地盤或いは砂地からなる軟弱性地盤等に於いて、当該シート状物を良好に固定するに適した軟弱地盤で使用されるシート等の固定具に関するものである。
【背景技術】
【０００２】
従来、苗を育成する圃場や各種作物を育成させる農地の表面に、雑草の抑制或いは地温の調整等の目的で、ビニール、不織布、ネット状布帛等からなる、例えば、透水性を持ったシート状物等を敷設して、当該シート状物の周辺部、或いは適宜の中間部分に適宜のピン構造体或いは杭構造体を適宜の本数打ち込み、当該シート状物が風雨等により移動しない様に、或いはそれが離散しないように固定処理されている。
【０００３】
一方、一般の道路の側縁部や高速道路等の中央分離帯部にも、視界の確保や美観の確保の目的から、当該部分に発生する雑草や雑木等の発生を抑制する為に、適宜のシート状物等を敷設して、且つ当該各シート状物等を適宜の固定具を使用して、固定する事が一般的に行われており、更には、高速道路の側壁面、法面、斜面、更には、建設中の各種道路の法面や斜面等の側壁面の破壊、崩壊を防止する事を目的として、当該部分に当該各シート状物等を適宜の固定具を使用して、固定する事も頻繁に行われている。
【０００４】
係る道路に隣接した部位に使用される当該各シート状物等の固定には、自然の風雨のみならず、トラック、バス等の大型車両の走行に伴う風圧によっても当該シート状物等が&#21085;がされたり、捲くれあがったり、飛ばされたりする事態が多発しており、より固定効果の高い固定具を使用する事が要求されている。
係る固定具としては、従来から一般的には、特開平７−１０３２１８号公報（特許文献１）の図６に示される様な構造を有する固定具が使用されていたが、係る構造の固定具では、当該固定具の地盤内での抵抗力が極めて薄弱であるため、僅かな引き抜き力が印加されたのみで、容易に引き抜かれる為、当該シート状物等を長期間に亘って、有効的に地盤表面に固定させておく機能に乏しいと言う欠点を有していた。
【０００５】
係る従来技術の欠点を改良する為、例えば、特開平１０−２０３５号公報(特許文献２)に示す様に、地盤内部の地中に埋め込まれる、固定脚部に適宜の形状で、当該脚部表面から横方向に突出した１個乃至複数個の突起部を配置させたとシート固定具が開発されたが、係る構造を有する固定具でも、全体的な強度が弱く、且つ、引き抜け抵抗力は十分ではなく、従って、実用性に乏しいものでしかなかった。
【０００６】
一方、係る従来例の固定具を更に改良するものとして、特開平６−２４５６５５号公報（特許文献３）に示される様に、複数個の突起部が脚部に配設された固定具が開発されたが、係る固定具は、構造が複雑で、使用原材料が増大する為、コストが高騰して、実用には不向きであった。
上記した従来技術に係る固定具を更に改善する技術として、例えば、上記した特開平７−１０３２１８号公報（特許文献１）の図１乃至図５に示される様に、当該固定具の地中埋め込み脚部の先端部に、拡開型のブレード部を設け、当該固定具が引き抜き力を受けた場合に、当該ブレード部が拡開して、地盤の孔部内に形成された孔部の壁部に当該ブレード部の先端部が喰い込み、引き抜き抵抗力を増大させる構造を有する固定具が示されている。
【０００７】
然しながら、確かに、係る構造を有す得る当該固定具は、引き抜き抵抗力が向上し、引き抜け難い固定具である事は認められるものの、当該地盤が砂地であるか或いは水分を多く含む地盤である、所謂軟弱性地盤にあっては、殆どその効果が減殺されて、固定効果を十分に発揮する事は不可能である。
【０００８】
同様に、特開２００２-２３５３２３号公報（特許文献４）に示される様に、当該固定具の地盤への埋め込み脚部に多数の突起部を配置形成して、引き抜き抵抗力を増大させた構造を有する固定具が示されているが、上記した公知例と同様に、所謂軟弱性地盤にあっては、殆どその効果が減殺されて、固定効果を十分に発揮する事は不可能である。
【０００９】
又、特開２０１１-９７８９９号公報（特許文献５）には、相互に拡開する機能を有する２枚の鋼製板状体で構成された脚部の外表面に複数個の突起部を配置形成せしめ、当該脚部が所望の地盤内に埋めこまれる際に、当該脚部は、狭められて、容易に地盤の地中に挿入され、その後、当該脚部が自力の反発力を発揮させて、当該脚部の外表面を当該地中の壁面内に押し付ける様に作用する様に構成されているので、引き抜き抵抗力がより一層向上されられた固定具の構造に関して記載されているが、係る固定具で有っても、所謂軟弱性地盤にあっては、殆どその効果が発揮される事は無いのが実情である。
【００１０】
当該固定具が容易に抜けてしまうと、それらの補修作業や追加工事作業の回数が増加して、当該シート状物等の維持・管理費用が増大するばかりか、道路沿線に於ける当該固定具が道路等に散乱した場合には、車両のタイヤの破損や当該固定具の飛散により交通事故の発生や、人体への損傷や建造物の破損等の二次災害の発生につながる可能性が大きく、その対策にかなりの費用が掛る事が懸念されている。
【００１１】
上記した当該シート状物等を実際に使用する必要性のある軟弱性地盤を持つ地域、地帯はかなりの数があり、その為、当該軟弱性地盤に於いて、当該シート状物等を効果的に且つ長期間に亘って、固定保持する為の固定具の開発が要望されている。
【先行技術文献】
【特許文献】
【００１２】
【特許文献１】特開平  ７−１０３２１８号公報
【特許文献２】特開平１０−２０３５号公報
【特許文献３】特開平  ６−２４５６５５号公報
【特許文献４】特開２００２-２３５３２３号公報
【特許文献５】特開２０１１-９７８９９号公報
【考案の概要】
【考案が解決しようとする課題】
【００１３】
従って本考案の目的は、上記した従来技術の欠陥を改良し、簡易な構成でありながら、従来一般的に使用されていると同様のコストや寸法、或いは重量を有し、打ち込み作業が容易に出来、然も耐久性のあり且つ引き抜き抵抗力の高い軟弱性地盤に於けるシート状物等用の経済性を有する固定具を提供するものである。
【課題を解決するための手段】
【００１４】
本考案は、上記のような目的を達成するため、基本的には、以下に示す様な技術構成を採用するものである。
【００１５】
即ち、本考案に係る当該軟弱地盤で使用されるシート等の固定具は、基本的には、直線状の棒状体からなる本体部、当該本体部の一方の端部は、当該端部の先端部に指向して、漸次その太さが軽減されていく尖頭形状部を有しており、当該本体部の他方の端部においては、当該端部の先端部から所定の長さだけ、当該本体部の中央部方向に移動した部位迄の部分が、当該本体部の中心軸線に対してほぼ直交する方向に所定の方向に向けて折り曲げられており、且つ、当該本体部の当該両端部間の適宜の表面部分には、少なくとも一つの、当該本体部の中心軸線に対してほぼ直交する方向で、且つ当該他方の端部が屈曲せしめられている方向と反対方向に、外方に突出した第１の抵抗部材と、その一方の端部が、当該本体部の外表面に接合され、且つ当該接合面から当該中心線に対して所定の角度を持って、且つ、当該他方の端部が屈曲せしめられている方向と反対方向に斜め状に外方に突出し、その他方の端部が、当該第１の抵抗部材の自由端部と接合せしめられている第２の抵抗部材とで構成されている少なくとも一つの引き抜き抵抗部が設けられており、更に、当該引き抜き抵抗部の内部空間部は、開放状態に維持されている特徴とする軟弱地盤で使用されるシート状物等の固定具である。
【考案の効果】
【００１６】
本考案に係る当該軟弱地盤で使用されるシート状物等の固定具は、上記した様な構成を採用することによって、簡易な構成でありながら、従来一般的に使用されている同様のシート状物等の固定具に比べて、従来一般的に使用されているものと同様のコストや寸法、或いは重量を有し、然も、引き抜き抵抗力に優れており、且つ、打ち込み作業が容易に出来、然も耐久性のある軟弱性地盤に於けるシート状物等用の経済性を有する固定具が得られるのである。
【図面の簡単な説明】
【００１７】
【図１】図１（Ａ）は、本考案に係る当該軟弱地盤で使用されるシート状の固定具の一具体例の構成の概略を示す側面図であり、図１（Ｂ）は、本考案に係る当該軟弱地盤で使用されるシート状物等の固定具の他の具体例の構成の概略を示す側面図であり、又、図１（Ｃ）は、本考案に係る当該軟弱地盤で使用されるシート状物等の固定具の更に他の具体例の構成の概略を示す側面図である。
【図２】図２は、本考案に係る当該軟弱地盤で使用されるシート状物等の固定具を当該地盤に当初に打ち込んだ状態を示す図である。
【図３】図３は、本考案に係る当該軟弱地盤で使用されるシート状物等の固定具を当該地盤内で所定の角度旋回させる為の旋回治具の一具体例の構成を示す斜視図である。
【図４】図４は、本考案に係る当該軟弱地盤で使用されるシート状物等の固定具を一旦当該地盤に打ち込んだ後に所定の角度旋回させた状態を示す斜視図である。
【図５】図５は、本考案に係る当該軟弱地盤で使用されるシート状物等の固定具を一旦当該地盤に打ち込んだ後に所定の角度旋回させた状態を示す上面図である。
【図６】図６は、本考案に係る当該軟弱地盤で使用されるシート状物等の固定具に於ける当該引き抜き抵抗体のより詳細な構成を説明する図である。
【考案を実施するための形態】
【００１８】
以下に本考案に係る当該軟弱地盤で使用されるシート状物等の固定具１００の一具体例の構成を、図面を参照しながら詳細に説明する。
即ち、図１（Ａ）は、本考案に係る当該軟弱地盤で使用されるシート状物等の固定具１００の一具体例の構成を示す概略図であって、図中、直線状の棒状体からなる本体部１、当該本体部１の一方の端部２は、当該端部２の先端部Ｐ１に指向して、漸次その太さＤが縮小されていく尖頭形状部３を有しており、当該本体部１の他方の端部４においては、当該端部４の先端部Ｐ２から所定の長さＳだけ、当該本体部１の中央部Ｍの方向に移動した部位Ｅ迄の部分Ｆが、当該本体部１の中心軸線Ｏに対してほぼ直交する方向に所定の方向に向けて折り曲げられており、且つ、当該本体部１の当該両端部２及び４間の部分の適宜の表面部分Ｑには、少なくとも一つの、当該本体部１の中心軸線Ｏに対してほぼ直交する方向で、且つ当該他方の端部４が屈曲せしめられている方向Ｒ１と反対方向Ｒ２に向けて、当該表面部分Ｑから外方に向けて突出した第１の抵抗部材５と、その一方の端部６が、当該本体部１の外表面Ｑに接合され、且つ当該接合面Ｑから当該中心線Ｏに対して所定の角度を持って、且つ、当該他方の端部４が屈曲せしめられている方向Ｒ１と反対方向Ｒ２に向けて、斜め状に外方に突出し、その他方の端部７が、当該第１の抵抗部材５の自由端部８と接合せしめられている第２の抵抗部材９とで構成されている少なくとも一つの引き抜き抵抗部１０が設けられており、更に、当該引き抜き抵抗部１０の内部空間部１１は、開放状態に維持されている事を特徴とする軟弱地盤で使用されるシート状物等の固定具１００が示されている。
【００１９】
本考案に係る当該軟弱地盤で使用されるシート状物等の固定具１００は、その長さ、太さ等の寸法的部分に関しては特には特定されないが、例えば、その全体的な長さＬは５０ｍｍ乃至５００ｍｍ、好ましくは２００ｍｍ乃至４００ｍｍであり、その太さ（中心軸線Ｃに対して直交する面でみた断面形状での径）は５ｍｍ乃至１５ｍｍ、好ましくは８ｍｍ乃至１５ｍｍで有る事が好ましい。
【００２０】
更に、本校案においては、当該引き抜き抵抗部１０が当該本体部１の表面部に配置される位置も特に特定されるものではないが、当該本体部１の中央部Ｍ若しくは当該中央部Ｍよりも下の方の部分、つまり、当該中央部Ｍよりも当該本体部１の一方の端部２の方向に寄った部位に設けられる事が望ましい。
【００２１】
又、本考案に係る当該固定具１００の構成材料も特に特定はされないが、例えば、金属材料或いは合成樹脂材料、若しくはそれらの複合材料で構成されている剛性材料で構成されている事が好ましく、その全体としては、内部が充実状構造で有っても良く或いは中空状構造を有するものであっても良い。
【００２２】
更に、本考案に係る当該固定具１００の直線状の棒状体からなる本体部１の当該中心軸線Ｃと直交する方向で見た断面形状も特には特定はされないが、例えば、円形、楕円形、半円形、三角形及び四角形を含む、多角形形状を有するものである事が望ましい。
【００２３】
一方、本考案に係る当該固定具１００に於ける当該本体部１の一方の端部２は、当該端部２の先端部Ｐ１に指向して、漸次その太さＤが縮小されていく尖頭形状部３を有しており、当該尖頭形状部３の長さや形状は特に特定されるものではなく従来公知の当該固定具、つまり固定杭、或いは固定ピンと同じ構造を有するものであっても良い。
【００２４】
他方、本考案に係る当該固定具１００の当該本体部１の他方の端部４においては、当該端部４の先端部Ｐ２から所定の長さＳだけ、当該本体部１の中央部Ｍ方向に移動した部位Ｅ迄の部分Ｆが、当該本体部１の中心軸線Ｏに対してほぼ直交する方向に所定の方向に向けて折り曲げられているが、その折り曲げ部分Ｆの長さＳは、特に特定されるものではないが、例えば、３０ｍｍ乃至７０ｍｍ程度である事が望ましい。
【００２５】
本考案に係る当該固定具１００に於ける当該折り曲げ部分Ｆの断面形状は、必ずしも、上記した様な、当該本体部１の断面形状である必要はなく、適宜の断面形状、例えば、扁平形状或いは楕円形状を有するものであっても良い。
【００２６】
次に、本考案に係る当該固定具１００に於ける当該折り曲げ部分Ｆは当該本体部１の中心軸線Ｏに対してほぼ直交する方向に所定の方向に向けて折り曲げられているが、その角度は必ずしも９０度でなくともよく、例えば、図１（Ｂ）に示す様に、当該折り曲げ部分Ｆが全体としては、当該中心軸線Ｏに対して直交する様に折り曲げられているものの、湾曲状に形成されているものであっても良く、或いは、図１（Ｃ）に示す様に、その先端部Ｐ２が折り曲げ部Ｅの位置よりも多少、下方に下がった位置にある様に折り曲げられているものであっても良い。
【００２７】
次に、本考案に係る当該固定具１００には、当該本体部１当該両端部２及び４間の部分、つまり具体的には、当該両端部２と折り曲げ部Ｅとの間の部分の適宜の表面部分Ｑには、少なくとも一つの、引き抜き抵抗部１０が設けられているものである。
【００２８】
本考案に係る当該引き抜き抵抗部１０は、図５に示す様に、当該折り曲げ部Ｅが屈曲せしめられている方向Ｒ１と反対方向Ｒ２に向けて、当該表面部分Ｑから外方に向けて突出して配置せしめられている。
当該引き抜き抵抗部１０は、図５に示す様に、当該折り曲げ部Ｅの中心軸線Ｏに対して軸一に延展されたものであっても良いが、当該折り曲げ部Ｅの中心軸線Ｏに対して多少角度を持った方向に延展されているものであっても良い。  
【００２９】
本考案に於ける当該引き抜き抵抗部１０は、図１に示す様に、当該本体部１の中心軸線Ｏに対してほぼ直交する方向で、且つ当該本体部１の他方の端部４が屈曲せしめられている方向Ｒ１と反対方向Ｒ２に向けて、当該表面部分Ｑから外方に向けて突出した第１の抵抗部材５と、その一方の端部６が、当該本体部１の外表面Ｑに接合され、且つ当該接合面Ｑ１から当該中心線Ｏに対して所定の角度を持って、且つ、当該他方の端部４が屈曲せしめられている方向Ｒ１と反対方向Ｒ２に向けて、斜め状に、上方に向けて且つ外方に向けて突出し、その他方の端部７が、当該第１の抵抗部材５の自由端部８と接合せしめられている第２の抵抗部材９とで構成されているものである。
【００３０】
当該第１及び第２の抵抗部材５及び９は、何れも金属性材料或いは合成樹脂製材料若しくはそれらの複合材料で構成されており、５ｍｍ乃至２０ｍｍの幅を持った細幅状の帯状体の形状に構成され、それぞれの当該本体部１の外表面Ｑと接合されている端部５’及び６及び当該第１及び第２の抵抗部材５及び９の各自由端部８及び７等は、適宜の接着剤、接合機構、溶接等の公知の手段で、接合されている。
【００３１】
当該第１の抵抗部材５は、略直線状の平板状体若しくは棒状体で構成されている事が望ましいが、当該第２の抵抗部材９は、適宜の湾曲状形態を有する平板状体若しくは棒状体で構成されているものであっても良い。
【００３２】
又、本考案に係る当該引き抜き抵抗部１０は、その枠体の内部に空間部１１が形成されており、当該空間部１１の両面は開放状態に維持されているので、砂等の土砂類が当該空間部１１内部を容易に通過する事が可能となっている。
【００３３】
更に、当該引き抜き抵抗部１０の当該第１の抵抗部材５が、当該本体部１の外表面Ｑからの延展長は、特に特定されるものではないが、例えば、１０ｍｍ乃至２０ｍｍ、好ましくは、１２ｍｍ乃至１６ｍｍの長さに設定されるものであっても良い。
更に、本考案に係る当該引き抜き抵抗部１０は、当該本体部１の外表面Ｑ上に一つ設けたもので有っても良く、或いは複数個設けたものであっても良い。
【００３４】
本考案に於いて、当該引き抜き抵抗部１０を複数個配置する場合には、複数個の当該引き抜き抵抗部１０、１０‘、  １０”等が、当該本体部１の長手方向線に沿って、均一若しくは不均一の所定の間隔を介して、同一方向に突出する状態で配置されている事が望ましい。
【００３５】
又、本考案に於いて、当該引き抜き抵抗部１０を複数個配置する場合には、  当該複数個の引き抜き抵抗部１０、１０‘、  １０”等の大きさ或いは形状若しくは当該本体部表面Ｑから外方への突出長さの少なくとも一部が他の引き抜き抵抗部のものと相違しているものであっても良い。
【００３６】
以下に、本考案に係る当該軟弱地盤で使用されるシート状物等の固定具１００の使用方法の一具体例を説明する。
即ち、本考案に係る当該シート状物等の固定具１００は、上記した通り、砂地あるいや水分を含有する軟弱性地盤３００の適宜の部位に敷設された当該適宜のシート状物等２００を当該軟弱性地盤３００上に固定する為に使用されるものであって、図３に示す様に、当該軟弱性地盤３００の適宜の部位に敷設された当該適宜のシート状物等２００の表面の適宜の部位に、直接若しくは、予め適度の孔を開けておき、当該孔部を介して、当該固定具１００を適宜の押し込み手段或いは打設機構を使用して、当該固定具１００に於ける当該折り曲げ部Ｆが、少なくともその一部が当該適宜のシート状物等２００の表面に残存する様にして、当該地盤３００内に打ち込む。
【００３７】
この際、当該本体部１に設置されている当該引き抜き抵抗部１０が、地中に降下する際にその近傍の土砂部分を一部排除することになるので、当該地中に降下した当該引き抜き抵抗部１０の上部及びその近傍部に於ける土砂密度は、かなり低下することになり、このままでは、当該本体部１が引き抜かれる際の引き抜き抵抗力は大幅に低下せざるを得ない。
【００３８】
又、当該本体部１が地中に打ち込まれる際には、当該引き抜き抵抗部１０が当該シート状物等２００に当該本体部１の断面積以上の開口部を余計に形成することになるので、当該部分から雨水が当該引き抜き抵抗部１０により形成された土砂密度の低下した部分に浸水して、当該土砂密度の低下した部分の大きさを拡大することになるので、当該固定具の引き抜き抵抗力は更に低下することになる。
【００３９】
係る問題に対向する為に、本考案では、図３に示す様な、当該固定具１００を回転させる為の回転操作用治具１５０を使用して、当該地盤内に埋め込まれた当該固定具１００を適宜の角度を以て回転させ、当該地盤３００内に一旦配置された当該引き抜き抵抗部１０の位置を変化させる様にするものである。
【００４０】
即ち、当該回転操作用治具１５０は、作業者が手で把持するハンドル部１５１と当該ハンドル部１５１の端部に設けられた、当該固定具１００の折り曲げ部Ｆの少なくとも一部を教示挟持しうるスリット部１５３を設けた構造を有するものであって、当該治具１５０の当該スリット部１５３内に当該シート状物等２００表面に存在している当該固定具１００の頭部である当該折り曲げ部Ｆを挟み込み、図４で示す様に、当該ハンドル部１５０を適宜の角度、例えば、１８０度回転させて、図５に示す、地中に於ける当該引き抜き抵抗部１０と当該折り曲げ部Ｆとの位置関係を反転させるものである。
【００４１】
本考案では、当該ハンドル部の回転操作を１８０度に限定するものではなく、任意の回転操作角度を採用する事も可能で有る事は言うまでもない。
係る回転操作を実行する間に、地中にある土砂類２０は、図６に示す様に、当該引き抜き抵抗部１０に設けられている開口部１１を介して容易に流動する事が可能である為、当該回転操作は極めて容易に実行され、同時に、当該引き抜き抵抗部１０は、前記した様な、土砂密度の希薄となった部分を避けて、基の土砂密度と同じ密度を有する地盤の地中内に固定されるので、当該引き抜き抵抗部１０による引き抜き抵抗値は、格段に向上され、不要な引き抜き状態が発生する危険は完全に防止されることになる。
【００４２】
本考案於いて、当該ハンドル部の回転操作を１８０度に設定する場合には、上記した当該引き抜き抵抗部１０が降下する際に形成された当該土砂密度が希薄となった部分の上端部を当該本体部１の当該折り曲げ部Ｆが蓋部の様に覆いかぶさることになるので、更に雨水等の浸入を防止する事が可能となる。
【００４３】
又、当該雨水等の当該部分への浸入を防止する為に、当該回転操作が終了した当該折り曲げ部の上面に適宜のコーキング材１５４を貼着させておく事も望ましい具体例である。
【００４４】
上記した本考案に係る当該軟弱地盤で使用されるシート状物等の固定具１００は、当該本体部１に当該引き抜き抵抗部１０が設けられていない、極通常の固定杭(従来例)と比較すると、打ち込み操作に要する荷重は本考案と当該従来例とでは、殆ど相違は見られないが、引き抜き抵抗値に関しては、当該従来例では、せいぜい５Ｋｇ程度であるのに対し、本考案に係る当該固定具１００にあっては、当該引き抜き抵抗値は、２０Ｋｇを優に超越する性能を呈するものであり、簡易な構造で且つ低コストで製造出来る本考案に係る当該固定具１００は、当該従来例に比べて、格段の作用効果を奏するものである事は明白である。
【００４５】
尚、本考案に於いて、図１（Ｂ）に示す様に、複数個の当該引き抜き抵抗部１０を設ける事も可能であるが、打ち込み荷重が増大する一方で、引き抜き抵抗値は、それほど上記本考案の具体例に比べて改善されてはいないので、本体部１の表面に複数個の当該引き抜き抵抗部１０を設ける構成の具体例は、あまり得策ではない。
【符号の説明】
【００４６】
１…本体部
２…一方の端部
３…尖頭形状部
４…他方の端部
５…第１の抵抗部材
６…その一方の端部
７…他方の端部
８…第１の抵抗部材の自由端部
９…第２の抵抗部材
１０…引き抜き抵抗部
１１…内部空間部
２０…土砂の流れ
１００…固定具
１５０…回転操作用治具
１５１…ハンドル部
１５３…スリット部
１５４…コーキング材
２００…シート状物等
３００…軟弱性地盤
Ｍ…本体部の中央部
Ｄ…本体部の太さ
Ｅ…折り曲げ部位
Ｆ…折り曲げ部
Ｌ…本体部の長さ
Ｐ１…先端部
Ｐ２…端部４の先端部
Ｒ１…屈曲せしめられている方向
Ｒ２…反対方向
Ｓ…所定の長さ
Ｏ…本体部１の中心軸線
Ｑ…表面部分
【図１】
0003192843.tif 000003
【図２】
0003192843.tif 000004
【図３】
0003192843.tif 000005
【図４】
0003192843.tif 000006
【図５】
0003192843.tif 000007
【図６】
0003192843.tif 000008